(57)【要約】 【課題】美観の向上を図ることができる電子機器を提供すること。【解決手段】実施形態によれば、電子機器は、パームレストを有した筐体と、キーボードと、スイッチとを具備する。キーボードは、筐体に設けられ、略長方形状の外形を有する。キーボードは、スペースキーと、このスペースキーよりもパームレストの近くに位置したカーソルキーとを有する。スイッチは、キーボードのなかでスペースキーとカーソルキーとパームレストとに囲まれた領域に設けられている。【選択図】図１
2011248402.tif 000002
【特許請求の範囲】
【請求項１】
パームレストを有した筐体と、
前記筐体に設けられたタッチパッドと、
前記筐体に設けられ、略長方形状の外形を有し、スペースキーと、このスペースキーよりも前記パームレストの近くに位置したカーソルキーと、このカーソルキーの側方で前記スペースキーと前記タッチパッドとの間に位置した平坦部と、メンブレンとを有したキーボードと、
前記キーボードの平坦部に設けられ、前記メンブレンに実装され、前記タッチパッドを制御可能なスイッチと、
前記平坦部内を前記スイッチに向いて延びるとともに、前記スイッチに隣接した領域で折れ曲がり、前記スペースキーの下方に延びた前記メンブレンの配線パターンと、
を具備した電子機器。
【請求項２】
請求項１の記載において、
前記キーボードは、前記スイッチに向かい合うボタンを有し、このボタンは、前記スペースキーとは高さが異なる電子機器。
【請求項３】
請求項２の記載において、
前記キーボードは、前記メンブレンを覆うとともに、開口部が設けられたフレームを有し、前記ボタンは、前記フレームの開口部に配置され、前記ボタンの上面は、前記フレームの上面と略同じ高さに位置した電子機器。
【請求項４】
請求項３の記載において、
前記キーボードは、前記メンブレンの下面を覆うとともに、穴が設けられた板金を有し、前記フレームは、前記板金の穴に挿入されて溶着される突起を前記平坦部に有した電子機器。
【請求項５】
請求項１または請求項４の記載において、
前記スイッチは、前記スペースキーと前記タッチパッドとの間に位置した電子機器。
【請求項６】
請求項１または請求項５の記載において、
前記スイッチは、前記キーボードのホームポジションセンターに対応した位置に設けられた電子機器。
【請求項７】
請求項１または請求項６の記載において、
前記スイッチは、前記タッチパッドのタッチパッドセンターに対応した位置に設けられた電子機器。
【請求項８】
パームレストを有した筐体と、
前記筐体に設けられたモジュールと、
前記筐体に設けられ、略長方形状の外形を有し、スペースキーと、このスペースキーよりも前記パームレストの近くに位置したカーソルキーと、このカーソルキーの側方で前記スペースキーと前記パームレストとの間に位置した平坦部と、メンブレンとを有したキーボードと、
前記キーボードの平坦部に設けられ、前記メンブレンに実装され、前記モジュールを制御可能なスイッチと、
を具備した電子機器。
【請求項９】
パームレストを有した筐体と、
前記筐体に設けられ、略長方形状の外形を有し、スペースキーと、このスペースキーよりも前記パームレストの近くに位置したカーソルキーとを有したキーボードと、
前記キーボードのなかで前記スペースキーと前記カーソルキーと前記パームレストとに囲まれた領域に設けられたスイッチと、
を具備した電子機器。
【発明の詳細な説明】
【技術分野】
【０００１】
本発明の実施形態は、キーボードを備えた電子機器に関する。
【背景技術】
【０００２】
例えばノートブック型パーソナルコンピュータ（以下、ノートＰＣ）のような電子機器は、キーボードを有する。このキーボードは、スペースキーと、このスペースキーよりもパームレストの近くに位置したカーソルキーとを有する。そしてキーボードは、カーソルキーの周りがパームレストに向いて凸部となる異型の外形を有する。
【先行技術文献】
【特許文献】
【０００３】
【特許文献１】特開２０００−２３１４３９号公報
【発明の概要】
【発明が解決しようとする課題】
【０００４】
電子機器は、美観の向上が要望されている。
【０００５】
本発明の目的は、美観の向上を図ることができる電子機器を提供することである。
【課題を解決するための手段】
【０００６】
実施形態によれば、電子機器は、パームレストを有した筐体と、キーボードと、スイッチとを具備する。キーボードは、前記筐体に設けられ、略長方形状の外形を有する。キーボードは、スペースキーと、このスペースキーよりも前記パームレストの近くに位置したカーソルキーとを有する。スイッチは、前記キーボードのなかで前記スペースキーと前記カーソルキーと前記パームレストとに囲まれた領域に設けられている。
【図面の簡単な説明】
【０００７】
【図１】第１の実施形態に係る電子機器の一例を示す斜視図である。
【図２】図１中に示された電子機器の本体ユニットの一例を示す平面図である。
【図３】図１中に示されたタッチパッドのＯｎ／Ｏｆｆボタンの一例を示す斜視図である。
【図４】図１中に示された電子機器のキーボードのメンブレンの一例を示す平面図である。
【図５】図４中に示されたスイッチの一例を拡大して示す斜視図である。
【図６】図４中に示されたメンブレンの下面の一例を示す平面図である。
【図７】図６中に示されたメンブレンの配線パターンの一例を示す平面図である。
【図８】図２中に示されたキーボードの一例のＦ８−Ｆ８線に沿う断面図である。
【図９】第２の実施形態に係るメンブレンの配線パターンの一例を示す平面図である。
【発明を実施するための形態】
【０００８】
以下、実施の形態について、図面を参照して説明する。
【０００９】
（第１の実施形態）  
図１乃至図８は、第１の実施形態に係る電子機器１を開示する。電子機器１は、例えばノートＰＣである。なお本実施形態が適用可能な電子機器は、上記に限定されるものではない。本実施形態は、例えばＰＤＡ(Personal digital Assistant)やゲーム機などを含む種々の電子機器に広く適用可能である。
【００１０】
図１に示すように、電子機器１は、本体ユニット２と、表示ユニット３と、ヒンジ４ａ，４ｂとを備えている。本体ユニット２は、電子機器本体である。本体ユニット２は、筐体５を備えている。筐体５は、メインボード６を収容している。筐体５は、上壁７、下壁８、及び周壁９を有し、扁平な箱状に形成されている。
【００１１】
下壁８は、電子機器１を机上に置いた時に、その机上面に向かい合う。下壁８は、机上面に対して略平行になる。上壁７は、下壁８との間に空間を空けて、下壁８と略平行（すなわち略水平）に広がる。上壁７には、キーボード１０が取り付けられている。周壁９は、下壁８に対して起立し、下壁８の周縁部と上壁７の周縁部との間を繋いでいる。
【００１２】
筐体５は、筐体ベース１１と、筐体カバー１２とを有する。筐体ベース１１は、下壁８と、周壁９の一部とを含む。筐体カバー１２は、上壁７と、周壁９の一部とを含む。筐体カバー１２が筐体ベース１１に組み合わされることで、筐体５が形成されている。
【００１３】
筐体５は、表示ユニット３が回動可能に連結された後端部１４と、この後端部１４とは反対側に位置した前端部１５とを有する。周壁９は、前壁９ａ、後壁９ｂ、左側壁９ｃ、及び右側壁９ｄを有する。前壁９ａは、前端部１５において筐体５の幅方向（左右方向）に延びている。後壁９ｂは、後端部１４において筐体５の幅方向に延びている。左側壁９ｃ及び右側壁９ｄは、それぞれ筐体５の奥行方向（前後方向）に延びて、前壁９ａの端部と後壁９ｂの端部とを繋いでいる。
【００１４】
表示ユニット３は、ヒンジ４ａ，４ｂによって、本体ユニット２の後端部１４に回動可能（開閉可能）に連結されている。表示ユニット３は、本体ユニット２を上方から覆うように倒された閉じ位置と、本体ユニット２に対して起こされた開き位置との間で回動可能である。
【００１５】
図１に示すように、表示ユニット３は、表示筐体１７と、この表示筐体１７に収容された表示パネル１８とを備えている。表示パネル１８の表示画面１８ａは、表示筐体１７の前壁に設けられた開口部１７ａを通じて外部に露出可能になっている。
【００１６】
図１及び図２に示すように、上壁７には、キーボード１０、タッチパッド２１、及びパームレスト２２が設けられている。キーボード１０は、前壁９ａと略平行に筐体５の幅方向に延びており、左側壁９ｃの近傍から右側壁９ｄの近傍に亘っている。
【００１７】
図１及び図２に示すように、筐体５は、それぞれ当該筐体５の長手方向（幅方向）の端部である第１端部２４と、第２端部２５とを有する。第１端部２４は、例えば左側壁９ｃを含む。第２端部２５は、例えば右側壁９ｄを含む。
【００１８】
図２に示すように、キーボード１０のホームポジションセンターＣ１は、筐体５の中央部（ハウジングセンター）に対して、第２端部２５よりも第１端部２４の近くに偏っている。なお、「ホームポジション」とは、ＪＩＳ系配列やＡＳＣＩＩ配列のキーボードで、ユーザーの左右両手の人差し指が基準キーであるＦキー２７とＪキー２８とに添えられる状態を指す。「ホームポジションセンター」とは、Ｆキー２７とＪキー２８との間の中央部をキーボード１０の短手方向に横断する線を指す。
【００１９】
タッチパッド２１は、筐体５に設けられたモジュールの一例である。タッチパッド２１は、メインボード６に電気的に接続されている。タッチパッド２１は、キーボード１０と前壁９ａとの間に設けられている。タッチパッド２１は、キーボード１０のホームポジションセンターＣ１に対応して設けられている。つまり、キーボード１０のホームポジションセンターＣ１に、タッチパッド２１のタッチパッドセンターＣ２が一致する。
【００２０】
このため、タッチパッド２１は、筐体５の中央部に対して偏っており、第２端部２５よりも第１端部２４の近くに配置されている。なお、「タッチパッドセンター」とは、タッチパッドの中央部をキーボード１０の短手方向に横断する線を指す。
【００２１】
パームレスト２２は、例えばキーボード１０の操作時にユーザーの手が置かれる。パームレスト２２は、タッチパッド２１およびタッチパッド２１に付随するボタンを外れたキーボード１０と前壁９ａとの間の略全域に設けられている。つまり、パームレスト２２は、第１端部２４とタッチパッド２１との間、第２端部２５とタッチパッド２１との間、及びキーボード１０とタッチパッド２１との間に設けられている。
【００２２】
ここで、第１方向Ｄ１及び第２方向Ｄ２を定義する。第１方向Ｄ１は、キーボード１０の長手方向である。第２方向Ｄ２は、キーボード１０の短手方向であるとともに、キーボード１０からタッチパッド２１に向かう方向であり、第１方向Ｄ１に略直交する。
【００２３】
図１及び図２に示すように、キーボード１０は、略長方形状の外形を有する。詳しく述べると、キーボード１０は、例えばアルファベットなどを入力するための文字キー３１の他に、スペースキー３２、コントロールキー３３、及び、４つのカーソルキー３４，３５，３６，３７などを備えている。スペースキー３２及びコントロールキー３３は、第１方向Ｄ１に並んでおり、キーボード１０の最前列となる１つのキー列３９を形成している。
【００２４】
４つのカーソルキー３４，３５，３６，３７のうちの３つのカーソルキー３５，３６，３７は、キー列３９よりもパームレスト２２側に寄っている。つまり、カーソルキー３５，３６，３７は、スペースキー３２よりもパームレスト２２の近くに位置する。
【００２５】
図１及び図２に示すように、キーボード１０は、カーソルキー３５，３６，３７がスペースキー３２よりもパームレスト２２側に突出した段差に対応した平坦部４１を有する。つまり、平坦部４１は、カーソルキー３５の側方で、スペースキー３２を含むキー列３９とパームレスト２２との間（つまりスペースキー３２とタッチパッド２１との間）に位置している。換言すれば、平坦部４１は、スペースキー３２と、カーソルキー３５と、パームレスト２２（タッチパッド２１）とによって囲まれた領域である。なお本明細書でいう「囲まれた」とは、必ずしも四方の全てが囲まれている必要はなく、３方向または２方向から囲まれている場合も含む。
【００２６】
この平坦部４１は、スペースキー３２とカーソルキー３５，３６，３７との段差を埋めており、これによりキーボード１０の前端部（パームレスト２２に隣接する端部）が直線状に形成されている。つまりキーボード１０は、カーソルキー３５，３６，３７の周りがパームレスト２２に向いて突出した異型をしておらず、キーボード１０の前端部が前壁９ａと略平行になっている。なお平坦部４１は、非キー設置部、余白部、エキストラ部、またはブランク部などと呼称してもよい。
【００２７】
図３に示すように、キーボード１０は、タイルキーボードである。つまり、キーボード１０は、各キー３１，３２，３３，３４，３５，３６，３７が実装されるメンブレン４３、板金４４、及びフレーム４５を有する。図４は、メンブレン４３の上面を示す。メンブレン４３は、いわゆるメンブレンシートであり、キーボード１０の外形と略同じ大きさのシート状に形成されている。つまりメンブレン４３は、各キー３１，３２，３３，３４，３５，３６，３７から平坦部４１に亘っている。
【００２８】
図６は、メンブレン４３の下面を示す。メンブレン４３は、開口部５１と、接点５２と、配線パターン５３とを有する。開口部５１は、各キー３１，３２，３３，３４，３５，３６，３７の下方に設けられ、例えば各キー３１，３２，３３，３４，３５，３６，３７を支持する支持機構が取り付けられる。接点５２は、開口部５１内に設けられ、各キー３１，３２，３３，３４，３５，３６，３７の入力に対応している。配線パターン５３は、接点５２を繋いでいる。
【００２９】
配線パターン５３は、キーボード１０の前端部でＦＦＣ５５(Flexible Flat Cable)としてひとつに束ねられている。ＦＦＣ５５は、メインボード６に接続されている。メンブレン４３は、固定用の複数の穴５７を有する。各キー３１，３２，３３，３４，３５，３６，３７は、図示しない支持機構によりメンブレン４３の接点５２に対応して設けられており、メンブレン４３の接点５２に向いて進退可能になっている。
【００３０】
図８に示すように、板金４４は、メンブレン４３の下面を覆う。板金４４は、キーボード１０の外形と略同じ大きさを有し、キーボード１０の剛性を確保している。板金４４は、メンブレン４３の穴５７に対応した位置に、固定用の穴５８を有する。
【００３１】
図３に示すように、フレーム４５は、板状に形成されてメンブレン４３の上面を覆うとともに、各キー３１，３２，３３，３４，３５，３６，３７に対応した開口部５９が設けられている。フレーム４５の上面４５ａは、平坦状に形成されている。図８に示すように、フレーム４５は、メンブレン４３の穴５７及び板金４４の穴５８に挿入されて、板金４４の下方に突出する突起６０を有する。この突起６０の先端部は板金４４に溶着される。
【００３２】
これにより、フレーム４５、メンブレン４３、及び板金４４が一体になる。この突起６０の一部は、キーボード１０の平坦部４１に設けられている。つまりキーボード１０の平坦部４１には、フレーム４５、メンブレン４３、及び板金４４を一体に固定する固定部が設けられているといえる。
【００３３】
なお、本明細書でいう「キーボードの平坦部」とは、スペースキー３２とカーソルキー３５とパームレスト２２（タッチパッド２１）とに囲まれた領域を指す表現であり、フレーム４５だけを指すものではない。「キーボードの平坦部」は、上記囲まれた領域に位置したメンブレン４３、板金４４、フレーム４５の各部分を含む。
【００３４】
図１乃至図３に示すように、キーボード１０の平坦部４１には、タッチパッド２１の機能制御用のボタン６１及びスイッチ６２が設けられている。ボタン６１は、キーボード１０のフレーム４５に設けられている。スイッチ６２は、メンブレン４３に設けられ、ボタン６１の下方に位置している。
【００３５】
スイッチ６２は、後述するようにメインボード６に電気的に接続されており、タッチパッド２１を制御可能である。スイッチ６２は、タッチパッド２１のＯｎ／Ｏｆｆスイッチである。ユーザーは、ボタン６１を通じてスイッチ６２を操作することで、タッチパッド２１の状態を、入力を受け付ける作動状態と入力を受け付けない停止状態との間で切り替えることができる。
【００３６】
ボタン６１及びスイッチ６２は、スペースキー３２に隣接した領域に設けられ、スペースキー３２とタッチパッド２１との間に位置している。より詳しく述べると、ボタン６１及びスイッチ６２は、ホームポジションセンターＣ１及びタッチパッドセンターＣ２に対応した位置に設けられている。つまり、ボタン６１及びスイッチ６２は、ホームポジションセンターＣ１及びタッチパッドセンターＣ２の延長線上に位置する。
【００３７】
図４及び図５に示すように、スイッチ６２は、平坦部４１において、メンブレン４３に直接に実装されている。スイッチ６２は、例えばドームスイッチであり、当該スイッチ６２自身でクリック感を出すことができる。
【００３８】
図６に示すように、メンブレン４３は、スイッチ６２に対応した接点６３を有する。この接点６３には、配線パターン５３が接続されている。スイッチ６２は、キーボード１０のメンブレン４３を介してメインボード６に電気的に接続されている。つまり、スイッチ６２に入力された信号は、メンブレン４３を介してメインボード６に入力される。
【００３９】
ここで図６を参照して、配線パターン５３について詳しく説明する。なお図６は、メンブレン４３を上下逆さまの姿勢にして示したものであり、左右が逆になっている。スペースキー３２の下方には、第１開口部７１、第２開口部７２、及び第３開口部７３が設けられている。第１開口部７１、第２開口部７２、及び第３開口部７３には、例えばスペースキー３２を支持する図示しない支持機構が取り付けられる。
【００４０】
第１開口部７１は、スペースキー３２の中央部に向かい合っている。第１開口部７１内には、スペースキー３２に対応した接点５２が設けられている。第２開口部７２は、スペースキー３２の左端部３２ａ（第１端部）に向かい合っている。第３開口部７３は、スペースキー３２の右端部３２ｂ（第２端部）に向かい合っている。
【００４１】
第１開口部７１と第２開口部７２との間には、第１通路部７４が設けられている。第１開口部７１と第３開口部７３との間には、第２通路部７５が設けられている。第１通路部７４及び第２通路部７５は、比較的面積に余裕があるスペースキー３２の下方を利用して、配線パターン５３が引き回される領域である。
【００４２】
ＦＦＣ５５は、第２通路部７５に接続されている。配線パターン５３の多くは、第２通路部７５に引き回されており、この第２通路部７５で纏められ、ＦＦＣ５５に接続されている。
【００４３】
第１通路部７４は、スイッチ６２に隣接している。図６に示すように、配線パターン５３は、平坦部４１内にも設けられている。平坦部４１は、各キー３１，３２，３３，３４，３５，３６，３７に対応した開口部５１が無いため、メンブレン４３のなかで配線レイアウトのための面積を比較的確保しやすい領域である。平坦部４１内の配線パターン５３は、平坦部４１の外形（つまりキーボード１０の前端部）に沿って略直線状に延びている。
【００４４】
平坦部４１内の配線パターン５３は、キーボード１０の左端部からスイッチ６２に向いて延びるとともに、スイッチ６２に隣接した領域７７で折れ曲がり、第１通路部７４に延びている。つまり、平坦部４１内の配線パターン５３は、スイッチ６２を避けるように折り曲げられ、スペースキー３２の下方に逃がされている。なお、「スイッチに隣接した領域」とは、例えばスペースキー３２とパームレスト２２（タッチパッド２１）との間の領域を指す。
【００４５】
図３に示すように、ボタン６１は、例えばキーボード１０の各キー３１，３２，３３，３４，３５，３６，３７よりも小さく形成され、これらキー３１，３２，３３，３４，３５，３６，３７とは異なる形状を有する。フレーム４５は、平坦部４１に開口部８１を有する。ボタン６１は、この開口部８１に配置されている。これにより、ボタン６１は、例えばスペースキー３２やその他キー３３，３４，３５，３６，３７，とは異なる高さを有する。ボタン６１の上面６１ａは、例えばフレーム４５の上面４５ａと略同じ高さに位置する。つまり、ボタン６１の上面６１ａが、平坦状をしたフレーム４５の上面４５ａと面位置にある。
【００４６】
このような構成の電子機器１によれば、美観の向上を図ることができる。つまり、本実施形態では、電子機器１は、カーソルキー３５の側方でスペースキー３２とパームレスト２２との間に平坦部４１を有したキーボード１０を備えている。このようなキーボード１０は、キーボード１０の外形が異型（カーソルキーの周りが凸部）のない略長方形状とすることができ、意匠性を向上させることができる。
【００４７】
そして本実施形態では、キーボード１０の外形を略長方形状にすることによって生まれたキーボード１０の平坦部４１（空スペース部）を利用してタッチパッド２１のＯｎ／Ｏｆｆ用のボタン６１及びスイッチ６２が設けられている。このため、キーボード１０以外に露出されるボタンが少なくなる。これは、意匠性の向上に寄与する。
【００４８】
更に、タッチパッド２１のＯｎ／Ｏｆｆ用のボタン６１をキーボード１０に実装することで、このボタン６１がキーボード１０のキーから非常に近いところに位置にする。ユーザーは、キーボード１０のキーを操作している最中であっても、例えば親指などでこのボタン６１を押すことができる。これにより、ボタン６１の操作性や利便性を向上させることができる。
【００４９】
また、本実施形態のように、別々に実装されるキーボードとタッチパッドのＯｎ／Ｏｆｆボタンを一体化させることで、コスト面やスペース面でも有利になる。詳しく述べると、キーボードとタッチパッドとの間に小基板を設け、この小基板にタッチパッドのＯｎ／Ｏｆｆスイッチを実装することも考えられる。しかしこの場合、小基板や、この小基板とメインボードとの接続構造（例えばハーネスやＦＦＣ）が別途必要になる。
【００５０】
一方で、本実施形態では、タッチパッド２１のＯｎ／Ｏｆｆ用のスイッチ６２を、キーボード１０のメンブレン４３に実装している。このため、上記のような小基板や接続構造を省略することが可能になる。つまり、タッチパッド２１のＯｎ／Ｏｆｆ用のスイッチ６２を実装するのに新規追加部材や特殊構造が必要ない。このため、電子機器１の薄型化や軽量化、低コスト化、品質向上を期待することができる。
【００５１】
平坦部４１は、キー３１，３２，３３，３４，３５，３６，３７に対応した開口部５１がないため、配線レイアウトを行いやすい。つまり、略長方形状に形成されたキーボード１０は、配線レイアウトが容易になる。
【００５２】
本実施形態では、スイッチ６２は、スペースキー３２に隣接して設けられている。そして本実施形態では、平坦部４１内をスイッチ６２に向いて延びた配線パターン５３が、スイッチ６２に隣接した領域７７で折れ曲がり、スペースキー３２の下方に延びている。ここで、スペースキー３２は、他のキーに比べて長大で、その下方に配線パターン５３を引くための面積を確保しやすい。
【００５３】
本実施形態では、スイッチ６２をスペースキー３２に隣接して設けることで、スペースキー３２の下方空間の有効利用を可能にしている。具体的には、平坦部４１内をキー列３９に沿って延びた配線パターン５３をスペースキー３２の下方に向けて折り曲げ、その配線パターン５３をスペースキー３２の下方に逃がすことで、平坦部４１内にスイッチ６２を実装する領域を創出している。これにより、平坦部４１内にスイッチ６２が実装可能になるとともに、平坦部４１内でキー列３９に沿って引いた配線パターン５３を、スイッチ６２に邪魔されることなくＦＦＣ５５に接続することができる。
【００５４】
タッチパッド２１のＯｎ／Ｏｆｆ用のボタン６１を、スペースキー３２や他のキーとは異なる形状や高さにすることで、押し間違いを抑制し、操作性を向上させることができる。キーボード１０のフレーム４５の開口部８１にボタン６１が配置され、ボタン６１の上面６１ａがフレーム４５の上面４５ａと同じ高さに位置すると、ボタン６１がフレーム４５から突出していないため、美観がより優れているとともに、押し間違いがさらに抑制される。
【００５５】
本実施形態では、フレーム４５は、板金４４に溶着される突起６０を平坦部４１にも備えている。つまりこの平坦部４１を利用することで、板金４４に溶着される突起６０がより多く設けられている。これにより、キーボード１０の強度がより高くなっている。
【００５６】
本実施形態では、スイッチ６２は、スペースキー３２とタッチパッド２１との間に位置している。スイッチ６２は、キーボード１０のホームポジションセンターＣ１に対応した位置に設けられている。スイッチ６２は、タッチパッド２１のタッチパッドセンターＣ２に対応した位置に設けられている。これらによれば、キーボード１０を操作するユーザーの手がタッチパッドＯｎ／Ｏｆｆ用のボタン６１の近くに自然と位置するので、操作性が高くなる。
【００５７】
（第２の実施形態）  
次に、本発明の第２の実施形態に係る電子機器１について、図９を参照して説明する。なお上記第１の実施形態の構成と同一または類似の機能を有する構成は、同一の符号を付してその説明を省略する。また、下記に説明する以外の構成は、上記第１の実施形態と同じである。
【００５８】
図９は、本実施形態に係るキーボード１０を示す。本実施形態に係るキーボード１０は、ＪＩＳ配列であり、日本語入力に対応している。本実施形態に係るキーボード１０でも、スペースキー３２の下方を利用して、スイッチ６２を避けるように配線パターン５３が逃がされている。
【００５９】
このような構成の電子機器１によっても、上記第１の実施形態と同様に、美観の向上やその他の効果を得ることができる。
【００６０】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００６１】
例えば、ボタン６１及びスイッチ６２によって制御されるモジュールは、タッチパッド２１に限らず、他のモジュールであってもよい。配線パターン５３は、必ずしもスペースキー３２の下方に逃がされていなくてもよい。キーボード１０は、タイルキーボードに限定されるものではない。ボタン６１の上面６１ａは、キーボード１０のフレーム４５の上面４５ａとは異なる高さでもよい。ボタン６１及びスイッチ６２は、スペースキー３２とタッチパッド２１との間を外れた位置に設けられてもよい。ボタン６１及びスイッチ６２は、キーボード１０のホームポジションセンターＣ１や、タッチパッド２１のタッチパッドセンターＣ２から外れてもよい。
【符号の説明】
【００６２】
Ｃ１…ホームポジションセンター、Ｃ２…タッチパッドセンター、１…電子機器、５…筐体、１０…キーボード、２１…タッチパッド、２２…パームレスト、３２…スペースキー、３５…カーソルキー、４１…平坦部、４３…メンブレン、４４…板金、４５…フレーム、５３…配線、５８…穴、６０…突起、６１…ボタン、６２…スイッチ、８１…開口部。
【図１】
2011248402.tif 000003
【図２】
2011248402.tif 000004
【図３】
2011248402.tif 000005
【図４】
2011248402.tif 000006
【図５】
2011248402.tif 000007
【図６】
2011248402.tif 000008
【図７】
2011248402.tif 000009
【図８】
2011248402.tif 000010
【図９】
2011248402.tif 000011
【手続補正書】
【提出日】平成23年9月12日(2011.9.12)
【手続補正１】
【補正対象書類名】明細書
【補正対象項目名】０００６
【補正方法】変更
【補正の内容】
【０００６】
実施形態によれば、電子機器は、パームレストを有した筐体と、前記筐体に設けられ、略長方形状の外形を有し、スペースキーとこのスペースキーよりも前記パームレストの近くに位置したカーソルキーとを有したキーボードと、前記キーボードのなかで前記スペースキーと前記カーソルキーと前記パームレストとに囲まれた領域に設けられたボタンと、前記ボタンに覆われた領域を避けて延び、前記ボタンを介して押圧されるスイッチ以外の前記キーボードの各キーと其々接続された複数の配線パターンと、を具備する。
【手続補正２】
【補正対象書類名】明細書
【補正対象項目名】００６１
【補正方法】変更
【補正の内容】
【００６１】
例えば、ボタン６１及びスイッチ６２によって制御されるモジュールは、タッチパッド２１に限らず、他のモジュールであってもよい。配線パターン５３は、必ずしもスペースキー３２の下方に逃がされていなくてもよい。キーボード１０は、タイルキーボードに限定されるものではない。ボタン６１の上面６１ａは、キーボード１０のフレーム４５の上面４５ａとは異なる高さでもよい。ボタン６１及びスイッチ６２は、スペースキー３２とタッチパッド２１との間を外れた位置に設けられてもよい。ボタン６１及びスイッチ６２は、キーボード１０のホームポジションセンターＣ１や、タッチパッド２１のタッチパッドセンターＣ２から外れてもよい。
以下、出願当初の特許請求の範囲に記載された電子機器を付記する。
［１］、(i)パームレストを有した筐体と、(ii)前記筐体に設けられたタッチパッドと、(iii)前記筐体に設けられ、略長方形状の外形を有し、スペースキーと、このスペースキーよりも前記パームレストの近くに位置したカーソルキーと、このカーソルキーの側方で前記スペースキーと前記タッチパッドとの間に位置した平坦部と、メンブレンとを有したキーボードと、(iv)前記キーボードの平坦部に設けられ、前記メンブレンに実装され、前記タッチパッドを制御可能なスイッチと、(v)前記平坦部内を前記スイッチに向いて延びるとともに、前記スイッチに隣接した領域で折れ曲がり、前記スペースキーの下方に延びた前記メンブレンの配線パターンと、を具備した電子機器。
［２］、［１］の記載において、前記キーボードは、前記スイッチに向かい合うボタンを有し、このボタンは、前記スペースキーとは高さが異なる電子機器。
［３］、［２］の記載において、前記キーボードは、前記メンブレンを覆うとともに、開口部が設けられたフレームを有し、前記ボタンは、前記フレームの開口部に配置され、前記ボタンの上面は、前記フレームの上面と略同じ高さに位置した電子機器。
［４］、［３］の記載において、前記キーボードは、前記メンブレンの下面を覆うとともに、穴が設けられた板金を有し、前記フレームは、前記板金の穴に挿入されて溶着される突起を前記平坦部に有した電子機器。
［５］、［１］または［４］の記載において、前記スイッチは、前記スペースキーと前記タッチパッドとの間に位置した電子機器。
［６］、［１］または［５］の記載において、前記スイッチは、前記キーボードのホームポジションセンターに対応した位置に設けられた電子機器。
［７］、［１］または［６］の記載において、前記スイッチは、前記タッチパッドのタッチパッドセンターに対応した位置に設けられた電子機器。
［８］、(i)パームレストを有した筐体と、(ii)前記筐体に設けられたモジュールと、(iii)前記筐体に設けられ、略長方形状の外形を有し、スペースキーと、このスペースキーよりも前記パームレストの近くに位置したカーソルキーと、このカーソルキーの側方で前記スペースキーと前記パームレストとの間に位置した平坦部と、メンブレンとを有したキーボードと、(iv)前記キーボードの平坦部に設けられ、前記メンブレンに実装され、前記モジュールを制御可能なスイッチと、を具備した電子機器。
［９］、(i)パームレストを有した筐体と、(ii)前記筐体に設けられ、略長方形状の外形を有し、スペースキーと、このスペースキーよりも前記パームレストの近くに位置したカーソルキーとを有したキーボードと、(iii)前記キーボードのなかで前記スペースキーと前記カーソルキーと前記パームレストとに囲まれた領域に設けられたスイッチと、を具備した電子機器。
【手続補正３】
【補正対象書類名】特許請求の範囲
【補正対象項目名】全文
【補正方法】変更
【補正の内容】
【特許請求の範囲】
【請求項１】
パームレストを有した筐体と、
前記筐体に設けられたタッチパッドと、
前記筐体に設けられ、略長方形状の外形を有し、スペースキーと、このスペースキーよりも前記パームレストの近くに位置したカーソルキーと、このカーソルキーの側方で前記スペースキーと前記タッチパッドとの間に位置したボタンと、メンブレンとを有したキーボードと、
前記キーボードの前記メンブレンに実装され、前記ボタンを介して押圧され、前記タッチパッドを制御可能なスイッチと、
前記キーボードの各キーに其々接続され、前記スイッチに向いて延びるとともに、前記ボタンに覆われた領域を避けて折れ曲がり、前記スペースキーの下方に延びた前記スイッチとは直接接続されていない複数の配線パターンと、
を具備した電子機器。
【請求項２】
パームレストを有した筐体と、
前記筐体に設けられたタッチパッドと、
前記筐体に設けられ、略長方形状の外形を有し、スペースキーと、このスペースキーよりも前記パームレストの近くに位置したカーソルキーと、このカーソルキーの側方で前記スペースキーと前記タッチパッドとの間に位置したボタンと、メンブレンとを有したキーボードと、
前記キーボードの前記メンブレンに実装され、前記ボタンを介して押圧され、前記タッチパッドを制御可能なスイッチと、
前記スイッチに向いて延びるとともに、前記ボタンに覆われた領域を避けて折れ曲がり、前記スペースキーの下方に延びるとともに前記スイッチ以外の前記キーボードの各キーと其々接続された複数の配線パターンと、
を具備した電子機器。
【請求項３】
請求項１または請求項２の記載において、
前記ボタンは、前記スペースキーとは高さが異なる電子機器。
【請求項４】
請求項１または請求項２の記載において、
前記キーボードは、前記メンブレンを覆うとともに、開口部が設けられたフレームを有し、前記ボタンは、前記フレームの開口部に配置され、前記ボタンの上面は、前記フレームの上面と略同じ高さに位置した電子機器。
【請求項５】
請求項４の記載において、
前記キーボードは、前記メンブレンの下面を覆うとともに、穴が設けられた板金を有し、前記フレームは、前記板金の穴に挿入されて溶着される突起を有した電子機器。
【請求項６】
請求項１または請求項２の記載において、
前記スイッチは、前記スペースキーと前記タッチパッドとの間に位置した電子機器。
【請求項７】
請求項１または請求項２の記載において、
前記スイッチは、前記キーボードのホームポジションセンターに対応した位置に設けられた電子機器。
【請求項８】
請求項１または請求項２の記載において、
前記スイッチは、前記タッチパッドのタッチパッドセンターに対応した位置に設けられた電子機器。
【請求項９】
パームレストを有した筐体と、
前記筐体に設けられたモジュールと、
前記筐体に設けられ、略長方形状の外形を有し、スペースキーと、このスペースキーよりも前記パームレストの近くに位置したカーソルキーと、このカーソルキーの側方で前記スペースキーと前記パームレストとの間に位置したボタンと、メンブレンとを有したキーボードと、
前記キーボードの前記メンブレンに実装され、前記ボタンを介して押圧され、前記モジュールを制御可能なスイッチと、
前記ボタンに覆われた領域を避けて延びるとともに前記スイッチ以外の前記キーボードの各キーと其々接続された複数の配線パターンと、
を具備した電子機器。
【請求項１０】
パームレストを有した筐体と、
前記筐体に設けられ、略長方形状の外形を有し、スペースキーと、このスペースキーよりも前記パームレストの近くに位置したカーソルキーとを有したキーボードと、
前記キーボードのなかで前記スペースキーと前記カーソルキーと前記パームレストとに囲まれた領域に設けられたボタンと、
前記ボタンに覆われた領域を避けて延び、前記ボタンを介して押圧されるスイッチ以外の前記キーボードの各キーと其々接続された複数の配線パターンと、
を具備した電子機器。